(57)【要約】【課題】大型のアンテナを送受信回路部に接続することなく比較的小型な磁界ループアンテナを何枚も連続的に並べるだけで、無線タグの検知エリアを拡大し、この検知結果を監視センターに送信する無線タグシステムを得る。【解決手段】磁界アンテナ内蔵のマット３２を隣接させて配列し、無線タグがこれらの磁界ループ内蔵マットのいずれかに近接したとき、それぞれが磁界エネルギーを次々に伝達することによって、大型なアンテナ又は高価な無線タグリーダー・ライターを用いなくとも検知エリアを拡大させ、この検知情報を無線タグリーダー・ライター３０が監視センターのサーバ３７に送信する。【選択図】図１
2008294863.tif 000002
【特許請求の範囲】
【請求項１】
移動体に取り付けられたパッシブタイプの無線タグと、無線タグリーダー・ライター及び磁界ループアンテナを内蔵した磁界アンテナ内蔵媒体とからなる無線送受信システムの、前記無線タグリーダー・ライターに通信ネットワークを介して監視センターのコンピュータシステムを接続した無線タグシステムであって、
前記磁界アンテナ内蔵媒体は、
リンクコイルを含まないで磁界ループコイルとコンデンサとを有して四角形状の媒体で覆われたものであり、
この磁界アンテナ内蔵媒体を、一定距離以内の間隔で、非接触で隣接させて複数枚が列状に並べられてなる磁界アンテナ媒体群と、
前記無線タグリーダー・ライターは、
前記無線タグの磁界ループコイルと同じ大きさの磁界ループコイルとコンデンサと該磁界ループコイルよりループ長が短いリンクコイルを有する送受信アンテナ部と、
前記送受信アンテナ部のリンクコイルに接続された給電線と、
前記給電線に接続され、前記リンクコイルで検出した前記無線タグの検出信号に無線タグリーダー・ライター番号を付加し、これを無線タグ検知情報として前記監視センターのコンピュータシステムに送信する送受信回路部と
を備え、前記無線タグリーダー・ライターは、前記磁界アンテナ媒体群のいずれかの磁界アンテナ媒体に隣接されて配置されることを特徴とする無線タグシステム。
【請求項２】
前記磁界ループコイルと前記コンデンサとは直列接続されており、
共振周波数ｆは、１３ＭＨｚ帯であり、
【数１】
2008294863.tif 000004
の関係をもつことを特徴とする請求項１記載の無線タグシステム。
【請求項３】
前記磁界アンテナ媒体群の内で、前記無線タグリーダー・ライターから所定個番目の磁界アンテナ内蔵媒体は、
磁界ループコイルとコンデンサの他にリンクコイルを備え、
該検リンクコイルは、前記無線タグリーダー・ライター内の給電線から分岐させられた給電線に接続されていることを特徴とする請求項１又は２記載の無線タグシステム。
【請求項４】
前記無線タグは、
履き物内の底に貼り付け又は移動体の裏面に取り付けられていることを特徴とする請求項１、２又は３記載の無線タグシステム。
【請求項５】
前記磁界アンテナ媒体群は、床面、壁面、天井、道路、線路、卓上に配置されていることを特徴とする請求項１、２、３又は４記載の無線タグシステム。
【請求項６】
前記監視センターのコンピュータシステムは、サーバとパソコン端末とを備え、
前記サーバは、
タイマーと、
前記磁界アンテナ媒体群が配置された監視区域の図面データに前記磁界アンテナ媒体群のポリゴンを前記無線タグリーダー・ライター番号に関連付けて合成した監視図データを記憶した第１の記憶手段と、
無線タグのＩＤコードと名称とを記憶した第２の記憶手段と、
前記監視図データを前記パソコン端末の画面に表示させる手段と、
前記無線タグを前記無線タグリーダー・ライターからの前記無線タグ検知情報を読み込み、該無線タグ検知情報のＩＤコードが監視対象のＩＤコードかどうかを判断する手段と、
前記監視対象のＩＤコードの場合は、前記無線タグ検知情報の前記無線タグリーダー・ライター番号に該当する前記監視図データの磁界アンテナ媒体群のポリゴンを色別表示すると共に前記タイマーの時刻情報と前記ＩＤコードにリンク付けされている名称とを表示する手段と
を有することを特徴とする請求項１、２、３、４又は５記載の無線タグシステム。
【発明の詳細な説明】
【技術分野】
【０００１】
本発明は、比較的小型な磁界ループアンテナであっても、費用をかけないで無線タグの検知エリアを拡大でき、この検知情報を監視センターが容易に利用できる無線タグシステムに関する。
【背景技術】
【０００２】
図１４は従来のアクティブ無線タグ送受信システムの概略構成図である。
【０００３】
図１４に示すように、無線タグリーダ・ライター１０は、送受信回路部１１と送受信アンテナ部１３とを給電線１２によって接続した一体構成となっている。
【０００４】
前述の送受信アンテナ部１３は、磁界ループアンテナを内蔵しており、アクティブ無線タグ２０が近づけられると、この無線タグ２０からのＩＤ信号を送受信アンテナ部１３（磁界ループコイルを含む）で受信し、この受信信号が給電線１２を介して無線タグリーダ・ライター１０の送受信回路部１１に送出されていた。
【０００５】
一方、パッシブ無線タグ送受信システム（図示せず）は、無線タグリーダー・ライターからパッシブの無線タグに向かって電力供給用に電波を送信し、パッシブの無線タグはこの電波を受信して直流電力に変換し、これを電源としてＩＤを無線タグリーダー・ライターに向けて送信する。
【０００６】
更に、パッシブタイプは、電波法の制限のため無線タグリーダー・ライターから出力できる無線信号電力に制限があるため、無線タグリーダー・ライターと無線タグ間の距離は数ｃｍが限界となる。そのため、広いエリアでの検知を行う場合には、高価な無線タグリーダー・ライター（送受信回路部と送受信アンテナ部と給電線とが一体となった装置）を何台も設置する必要があり、非常にコストと規模が大きなシステム構築が強いられていた。
【特許文献１】特開２０００−１１３１２７号公報
【発明の開示】
【発明が解決しようとする課題】
【０００７】
一般に、無線タグリーダー・ライターの送信出力は電波法の規制で制限されている。現在、一般に広く普及している無線タグは１３．５６ＭＨｚを使用したＩＳＯ１４４４３或いはＩＳＯ１５６９３タイプの無線タグである。
【０００８】
これらの無線タグリーダー・ライターは、送受信回路部と送受信アンテナ部とが内部で給電線によって接続された一体化構造となっている。
【０００９】
代表的なものに、駅の自動改札機等がある。この自動改札機は、指定された１０×５ｃｍ程度の場所に正確に無線タグをおかないと検知エラーとなってしまい、結果として正しく認識されず改札機を通過できない。
【００１０】
また、建物への入退セキュリティシステム等でも、ドアの出入口にあるカードリーダの前面に対して数センチの指定位置に正確に無線タグを持ってこないと正しく検知されない。この結果、ドアが開かなくなる。
【００１１】
これらの問題を解決するために、無線タグの位置に、より広い許容度を持たせようとすると、無線タグリーダー・ライターを複数台、並べては配置する必要があり、極めて大掛かりな工事となり、結果としてコスト高となる。
【００１２】
一方、この問題を解決するために、無線タグリーダー・ライターに対して、広範囲をカバーする大型のアンテナを接続すれば、読取り距離が僅かな無線タグでも広い面積をカバーできる。つまり、大型のアンテナを接続すれば、高い位置精度を要求されることなく、無線タグを検知できる。
【００１３】
しかし、この場合は、システム用途毎に様々な大きさの現場設置条件を適合したアンテナを設計・製造する必要があり、アンテナ実現のためのコストと手間がかかる。
【００１４】
本願は以上の課題を解決するためになされたもので、大型のアンテナを送受信回路部に接続することなく比較的小型な磁界ループアンテナを何枚も連続的に並べるだけで、無線タグの検知エリアを拡大し、この検知結果を監視センターに送信する無線タグシステムを得ることを目的とする。
【課題を解決するための手段】
【００１５】
本願発明の無線タグシステムは、移動体に取り付けられたパッシブタイプの無線タグと、無線タグリーダー・ライター及び磁界ループアンテナを内蔵した磁界アンテナ内蔵媒体とからなる無線送受信システムの、前記無線タグリーダー・ライターに通信ネットワークを介して監視センターのコンピュータシステムを接続した無線タグシステムであって、
前記磁界アンテナ内蔵媒体は、リンクコイルを含まないで磁界ループコイルとコンデンサとを有して四角形状の媒体で覆われたものであり、
この磁界アンテナ内蔵媒体を、一定距離以内の間隔で、非接触で隣接させて複数枚が列状に並べられてなる磁界アンテナ媒体群と、
前記無線タグリーダー・ライターは、
前記無線タグの磁界ループコイルと同じ大きさの磁界ループコイルとコンデンサと該磁界ループコイルよりループ長が短いリンクコイルを有する送受信アンテナ部と、
前記送受信アンテナ部のリンクコイルに接続された給電線と、
前記給電線に接続され、前記リンクコイルで検出した前記無線タグの検出信号に無線タグリーダー・ライター番号を付加し、これを無線タグ検知情報として前記監視センターのコンピュータシステムに送信する送受信回路部と
を備え、前記無線タグリーダー・ライターは、前記磁界アンテナ媒体群のいずれかの磁界アンテナ媒体に隣接されて配置されることを要旨とする。
【００１６】
ことを要旨とする。
【発明の効果】
【００１７】
以上のように本発明の無線タグシステムによれば、無線タグリーダー・ライターに対して、物理的に接続しない状態で所定の大きさ（例えばＡ４サイズ）の磁界ループアンテナ（外部非接続磁界ループアンテナともいう）を並列に設置することで無線タグリーダー・ライター内部の送受信部アンテナ部のアンテナからの電磁波とエネルギーを誘導結合させる。
【００１８】
すなわち、この大型のアンテナを設置しなくとも、外部非接続磁界ループアンテナを何枚も複数枚配置することで無線タグの検知エリアを広げることができる。
【００１９】
しかも、外部非接続磁界ループアンテナは同じものでよいので、同一規格品を大量生産しておけば、それを並べるだけで極めて低コストで、どのような形状の設置環境でも目的にあったエリアでの無線タグ検知を可能にできる。
【００２０】
本発明による無線タグシステムによれば、全世界標準として広く大量生産されているＩＳＯ１５６９３、ＩＳＯ１４４４３タイプ無線タグ用の無線タグリーダー・ライターに何ら手を加えることなく、その検知エリアを広げることができる。
【００２１】
しかも、新たに追加する機材は電源などの供給を全く必要とせず、コイルとコンデンサなどだけのパッシブ電子部品で構成される磁界ループアンテナであるので、コスト、信頼性、経済性に極めて優れている。
【００２２】
そのシステム構築の方法も、無線タグリーダー・ライターの直近に当該磁界ループアンテナを置くだけなので、操作性、使い勝ってが極めて優れている。
【００２３】
さらに、設置自由度においても、希望する検知エリアの面積分だけ、必要枚数をならべるだけであるので、同じ仕様の磁界ループアンテナを大量生産しておけば、設置環境に柔軟に対応して必要枚数だけを使用すればよい。
【００２４】
このため、従来では実現が難しかった１３．５６ＭＨｚタイプ無線タグを使用しての広範囲での検知を実現することができ、無線タグの適用利用域を著しく拡大できる。
【００２５】
一例として、建物出入口での入退管理を例にとれば、床面にマット上に複数枚の磁界ループアンテナをならべておく。
【００２６】
入場者の靴の裏面に無線タグを装置しておけば、無意識のうちに無線タグを検知できるので、例えば電波利用上の制限が厳しい病院、介護施設などへの電磁界暴露安全上の規制を受けずに導入できる。
【発明を実施するための最良の形態】
【００２７】
＜実施の形態１＞
図１は本実施の形態１の無線タグシステムの概略構成図である。図２は本実施の形態１の磁界アンテナ内蔵マットを説明する説明図である。本実施の形態１では、病院内で本実施の形態のシステムを適用した場合について説明する。
【００２８】
図１に示すように、磁界アンテナ内蔵のマット３２（例えばＡ４サイズ）を隣接させて配列する。本実施の形態では、部屋Ａの入り口に配列している。
【００２９】
そして、入り口の右側には無線タグリーダー・ライター３０を設けている。また、部屋の患者Ａが履くスリッパ３５の底には無線タグ３６を貼り付けている。
【００３０】
さらに、無線タグリーダー・ライター３０には監視センターに信号を伝送するためのＬＡＮが接続されている。この無線タグリーダ・ライター３０は、磁界ループコイル内蔵のマット３２（磁界アンテナ内蔵マット３２という）から受信したＩＤコードに無線タグリーダー・ライター３０の番号を付加した出歩き検出情報ＪｉをＬＡＮによって監視センターに送信する。この複数枚の磁界アンテナ内蔵マット３２を総称して磁界アンテナ内蔵マット群と称する。
【００３１】
前述の監視センターは、サーバ３７とパソコン３８等からなる。サーバ３７には、出歩き情報書込手段４１と、タイマー４２と、部屋から出てはいけない患者ＩＤコードを記憶したデータベース４３と、出歩き者情報用のデータベース４４と、データ出力手段４５と、病院内レイアウト図を記憶したデータベース４６等から構成されている。
【００３２】
出歩き情報書込手段４１は、無線タグリーダ・ライター３０からの出歩き検出情報Ｊｉを入力し、この出歩き検出情報ＪｉのＩＤコードとデータベース４３のＩＤコードと比較して出歩き禁止されている患者のＩＤコードかどうかを判定する。出歩きが禁止されている患者の場合は、タイマー４２の年月日、時刻（秒単位）をデータベース４４に書き込む。
【００３３】
このデータベース４４には、図３に示すように、部屋番号（Ａ、Ｂ・・）に出た時刻とＩＤコードと氏名と年齢と病名と担当者（担当医、担当看護士名）等が対応させらた出歩き管理テーブルが生成される。
【００３４】
データ出力手段４５は、データベース４４に生成された出歩き管理テーブルをパソコン３８に表示させる。また、部屋番号を含む病院内の階のレイアウト図（監視図データ）をデータベース４６から検索し（図４参照）、これをパソコン３８に表示させる。このレイアウト図の磁界アンテナ内蔵マット群も表示され、スリッパ３５の無線タグ２０を検出した部屋の前の磁界アンテナ内蔵マット群が色別表示される。これによって、監視センターでは、部屋を出てはいけない人が部屋を出た場合に誰が何時部屋を出たかが一目でわかる。
【００３５】
ここで図２を用いて磁界アンテナ内蔵マット群と無線タグリーダー・ライター３０とスリッパ３５に内臓された無線タグ３６との関係を説明する。
【００３６】
図２に示すように、磁界アンテナ内蔵マット３２は、無線タグリーダー・ライター３０で使用されている周波数１３．５６ＭＨｚと同じ周波数ｆで共振した磁界ループアンテナ３２ａとコンデンサ３２ｂとを内蔵し、これらをプラスチックケースに入れて、このプラスチックケースを布地で覆った構造にしている。この磁界ループアンテナ３２ａはエレメント（導線、導線パターン）を環状（ループ）にしたアンテナである。
【００３７】
前述の周波数ｆは、
【数２】
2008294863.tif 000003
【００３８】
として得られる。
【００３９】
そして、この磁界アンテナ内蔵マット３２を部屋Ａの前に並列に隣接（隣接間隔は５ｍｍ以内が望ましい）して並べた磁界アンテナ内蔵マット群を形成する。
【００４０】
また、無線タグリーダー・ライター３０の送受信アンテナ部３０ａは、磁界ループアンテナ３０ｂとコンデンサ３０ｃとリンクコイル３０ｄとを備え、このリンクコイル３０ｄは磁界ループアンテナ３０ａと非接触となるようにガラスエポキシ樹脂などで固着されている。また、リンクコイル３０ｄは給電線３０ｆによって送受信回路部３０ｅに接続されている。
【００４１】
そして、このリンクコイル３０ｄで得られた受信信号が送受信回路部３０ｅに出力される。
【００４２】
送受信回路部３０ｅは受信信号（ＩＤコード含む）に予め設定されている無線タグリーダ・ライター３０の番号を付加し、これを無線タグ検知情報として監視センターに送信する。
【００４３】
すなわち、患者Ａがスリッパ３５を履いて部屋Ａを出ると、磁界アンテナ内蔵マット群のいずれかの磁界アンテナ内蔵マット３２をスリッパ３５で踏むことになる。このスリッパ３５には無線タグ３６が内蔵されているので、無線タグ３６が近接することでその磁界アンテナ内蔵マット３２内の磁界ループアンテナ３２ａには電流が流れる。そして、次々に隣接の磁界アンテナ内蔵マット３２内の磁界ループアンテナ３２ａ同士によって磁界エネルギーが発生する。この結果、無線タグリーダー・ライター３０の送受信アンテナ部３０ａが周波数ｆで共振し、リンクコイル３０ｄによって検出（ＩＤコードを含む）される。
【００４４】
従って、実施の形態１の無線タグシステムによれば、全世界標準として広く大量生産されているＩＳＯ１５６９３、ＩＳＯ１４４４３タイプの無線タグ用の無線タグリーダー・ライターに何ら手を加えることなく、その検知エリアを広げることができる。
【００４５】
また、Ａ４サイズ程度の大きさの磁界アンテナ内蔵マット３２を単に隣接して並べるだけでよいので、検知エリアを広げるための工事を必要としない。
【００４６】
しかも、新たに追加する機材は電源などの供給を全く必要とせず、コイルとコンデンサなどだけのパッシブ電子部品で構成される磁界ループアンテナであるので、コスト、信頼性、経済性に極めて優れている。
【００４７】
設置自由度においても、希望する検知エリアの面積分だけ、必要枚数をならべるだけであるので、同じ仕様の磁界ループアンテナを大量生産しておけば、設置環境に柔軟に対応して必要枚数だけを使用すればよい。
【００４８】
このため、従来では実現が難しかった１３．５６ＭＨｚタイプ無線タグを使用しての広範囲での検知を実現することができ、無線タグの適用利用域を著しく拡大できる。
【００４９】
＜実施の形態２＞
図５は実施の形態２の無線タグシステムの概略構成図である。図５においては、無線タグリーダー・ライター３０と、磁界アンテナ内蔵マット群と、スリッパ３５を示している。
【００５０】
本実施の形態２は、磁界アンテナ内蔵マット３２を並列に多く並べすぎると、伝達エネルギーが低下する場合がある。
【００５１】
このため、例えば６枚程度になった場合には、無線タグリーダー・ライター３０内部の給電線３０ｆを分岐させて新たな給電線４８を設け、この給電線４８を６枚目の磁界アンテナ内蔵マット４９に接続する。
【００５２】
この磁界アンテナ内蔵マット４９は、図５に示すように、磁界ループアンテナ４９ａとコンデンサ４９ｂとリンクコイル４９ｃとを備え、このリンクコイル４９ｃは磁界ループアンテナ４９ａと非接触となるようにガラスエポキシ樹脂などで固着されている。給電線４８は、このリンクコイル４９ｃで得られた受信信号を送受信回路部３０ｅに出力し、送受信回路部３０ｅは受信信号（ＩＤコード含む）に予め設定されている番号を付加して監視センターに送信する。
【００５３】
従って、磁界アンテナ内蔵マットを多く並列にならべても、部屋Ａからの出たことを検知できる。
【００５４】
＜実施の形態３＞
図６は小学生、幼稚園児の下校管理に本実施の形態の無線タグシステムを用いる場合の構成図である。
【００５５】
図６に示すように、小学生、幼稚園児の靴底には無線タグ３６を貼り付ける。また、校門には磁界アンテナ内蔵マット３２を並べる。そして、この磁界アンテナ内蔵マット群の一番端の磁界アンテナ内蔵マット３２に無線タグリーダー・ライター３０を近接させて設ける（門又は校舎玄関）。この無線タグリーダー・ライター３０と校内のサーバ６０ｂとを専用ケーブル６２で接続している。また、監視用パソコン６０ａ（例えば教師のパソコン）が接続されている。サーバ６０ｂを校内に設けるのはセキュリーティの観点からである。
【００５６】
これによって、小学生又は幼稚園児（以下学童という）が靴で磁界アンテナ内蔵マット３２を踏むと、実施の形態１、２と同様に各磁界アンテナ内蔵マット３２は隣接して配列されているので磁界エネルギーが伝達して無線タグリーダー・ライター３０によって検知され、この受信信号が監視センターのサーバ６０ｂに送信される。
【００５７】
監視センターのパソコン６０ａは、サーバ６０ｂにアクセスして、受信信号のＩＤと氏名と時刻とを画面に表示する。このため、先生は保護者の携帯電話６１による問い合わせがあると、何時出たかを知らせることができる。
【００５８】
また、サーバ６０ｂが保護者の携帯電話６１からのアクセスを受け付けるようにしている場合或いは自動配信を行う場合は、サーバ６０ｂは予め登録されている下校時刻になると或いは携帯電話６１からのアクセスがあると、その保護者コードにリンク付けされているＩＤコードを有する情報を送信する
なお、担当地域の交差点に前述の磁界ループ内蔵マット群を配列すると共にサーバ６０ｂには、担当地域の地図を記憶し、この地図上の交差点を通過したときに色別表示するようにして今どこの付近にいるかを知らせるようにしてもよい（図８参照）。
【００５９】
図７は実施の形態３の無線タグシステムの動作を説明するシーケンス図である。
【００６０】
例えば、無線タグ付きのズックを履いた学童が校舎をでると、校門に並べられた磁界アンテナ内蔵マット３２群のいずれかのマットを踏む。
【００６１】
これによって、各磁界アンテナ内蔵マットは次々と磁界エネルギーを伝達して無線タグリーダー・ライター３０によって受信される。
【００６２】
無線タグリーダー・ライター３０はこの受信信号に磁界アンテナ内蔵マット群の位置番号を付加して監視センターに送信する（ｄ１）。
【００６３】
監視センターのサーバ６０ｂは、この無線タグ検知情報に時間を付加してデータベース７０に記憶する（ｄ２）。
【００６４】
そして、学童が更に進んで行って例えば交差点Ａにきて、磁界アンテナ内蔵マット群のいずれかのマットを踏むと、各磁界アンテナ内蔵マットは次々と磁界エネルギーを伝達して交差点Ａに設けられた無線タグリーダー・ライター３０によって受信される。無線タグリーダー・ライター３０はこの受信信号に磁界アンテナ内蔵マット群に近接させれている無線タグリーダー・ライター３０の番号を付加して監視センターに送信する（ｄ３）。
【００６５】
監視センターのサーバ６０ｂは、この無線タグ検知情報に時間を付加してデータベース７０に記憶する（ｄ４）。
【００６６】
また、学童が交差点Ｂにきて、磁界アンテナ内蔵マット群のいずれかのマットを踏むと、各磁界アンテナ内蔵マットは次々と磁界エネルギーを伝達して交差点Ｂに設けられた線タグリーダー・ライター３０によって受信される。この交差点Ｂの無線タグリーダー・ライター３０はこの受信信号に磁界アンテナ内蔵マット群の無線タグリーダー・ライター３０の番号（Ｂ）を付加して監視センターに送信する（ｄ５）。
【００６７】
監視センターのサーバ６０ｂは、この無線タグ検知情報に時間を付加してデータベース７０に記憶する（ｄ６）。
【００６８】
また、学童が交差点Ｃにきて、磁界アンテナ内蔵マット群のいずれかのマットを踏むと、各磁界アンテナ内蔵マットは次々と磁界エネルギーを伝達して交差点Ｃに設けられた線タグリーダー・ライター３０によって受信される。この交差点Ｃの無線タグリーダー・ライター３０はこの無線タグリーダー・ライター３０の無線タグ検知情報号に番号（Ｃ）を付加して監視センターに送信する（ｄ７）。
【００６９】
監視センターのサーバ６０ｂは、この無線タグ検知情報号に時間を付加してデータベース７０に記憶する（ｄ８）。
【００７０】
保護者の携帯電話６１又は先生のパソコン６０ａからサーバ６０ｂにアクセス（アクセス者ＩＤ、学童の氏名又はＩＤコード付き）があると（ｄ９）、サーバ６０ｂは、データベース７１の地図を提供すると共に、データベースに記憶されている学童のＩＤコードを有する無線タグ検知情報を読み込み、図８に示すようにこの無線タグ検知情報の番号に該当する地図上の磁界アンテナ内蔵マット群を例えば青色表示させ、かつ氏名と時刻とを近傍に表示させる（ｄ１０）。
【００７１】
これによって、先生又は保護者は学童がどの位置にいるかを把握できる。
【００７２】
＜実施の形態４＞
実施の形態４のシステム構成は実施の形態１、２、３と同様であるからシステム構成については説明を省略する。
【００７３】
図９は実施の形態４を説明する説明図である。本実施の形態では、例えば図９（ａ）に示すように、ゴミ収集車の裏に大型の無線タグを取り付け、図９（ｂ）に示すように焼却炉のゲートに磁界ループ内蔵マットを並べて、ゴミ収集車の焼却炉への出入りを管理する例である。
【００７４】
ゴミ収集車が焼却炉のゲートにくると、ゴミ収集車の裏には無線タグが貼り付けられているので、各磁界アンテナ内蔵マットは磁界エネルギーを伝達して無線タグリーダー・ライター３０によって受信される。
【００７５】
この受信信号にゲート番号を付加して監視センターに送信する。監視センターのサーバは、年月日、時刻とを付加してゲート番号に対応させて図１０に示すようにデータベース（図示せず）に記憶する。
【００７６】
図１０においては、ゲート番号にゴミ収集車の無線タグのＩＤコードと車番と重量と年月日、時刻会社名、入出回数とが対応させられている。
【００７７】
従って、監視センターではゲート毎に入出を管理する担当者を配置しなくともよいので経費を節減できる。
【００７８】
＜実施の形態５＞
実施の形態５は、磁界ループ内蔵マットが無線タグを検知したときに、マット番号を知らせる機能を有している場合である。
【００７９】
図１１は実施の形態５の無線タグシステムの概略構成図である。本実施の形態は実施の形態１と同様に病院を一例として説明する。実施の形態１と同様な箇所については説明を省略する。
【００８０】
図１１に示すように、磁界アンテナ内蔵のマット５２（例えばＡ４サイズ）を隣接させて配列する。本実施の形態では、部屋Ａの入り口に配列された磁界アンテナ内蔵マット５２群を入り口側マット群５２ａという。また、部屋の入り口から見て左側の磁界アンテナ内蔵マット５２群を左側マット群５２ｂという。さらに、右側に配列された磁界アンテナ内蔵マット５２群を右側マット群５２ｃという。
【００８１】
前述の監視センターのサーバ３７は、出歩き情報書込手段５０と、タイマー４２と、部屋から出てはいけない患者ＩＤコードを記憶したデータベース４３と、出歩き者情報用のデータベース５１と、データ出力手段４５と、病院内レイアウト図を記憶したデータベース４６と、出歩き方向決定手段４７等から構成されている。
【００８２】
出歩き情報書込手段４１は、無線タグリーダ・ライター３０からの出歩き検出情報Ｊｋ（マット番号付き）を入力し、この出歩き検出情報ＪｋのＩＤコードとデータベース４３のＩＤコードと比較して出歩き禁止されている患者のＩＤコードかどうかを判定し、出歩きが禁止されている患者の場合は、タイマー４２の年月日、時刻（秒単位）等からなる出歩き方向情報Ｈｉをデータベース４４に書き込む。この出歩き方向情報Ｈｉについては後述する。
【００８３】
データ出力手段４５は、出歩き方向情報Ｈｉがデータベース４４に記憶されたとき、この出歩き方向情報Ｈｉの出歩き管理テーブルをパソコン３８に表示させる。また、部屋番号を含む病院内の階のレイアウト図（図１３参照）をデータベース４６から検索し、これをパソコン３８に表示させる。
【００８４】
出歩き方向決定手段４７は、出歩き方向情報Ｈｉのマット番号を読み、このマット番号を有するマット群区別情報（マット群番号、マット番号、左、右）をデータベース４８から検索し、右又は左マットを踏んだかどうかを判断し、この判断結果を歩き方向情報Ｈｉに付加する。
【００８５】
すなわち、歩き方向情報Ｈｉは、図１２に示すように、部室番号に、入り口を出たときの時間と左又は右を分だときの時間とＩＤコードと氏名と年齢と担当者等からなる。
【００８６】
従って、患者が部屋を出て右側のマットを踏んだ場合は、画面に表示された病院のレイアウト図のこの部屋の前の右マットが色別表示され、かつ出歩き情報Ｈｉが表示されるので、であるいていけない患者がどちらの方向に向かって行ったかが直ぐに分かる。
【００８７】
なお、上記実施の形態では、磁界ループアンテナ、コンデンサ等からなる送受信アンテナ部を布等によって覆うとしたが、レンガ内、タイル内等に内蔵させてもよい。
【図面の簡単な説明】
【００８８】
【図１】本実施の形態１の無線タグシステムの概略構成図である。
【図２】磁界アンテナ内蔵マット群と無線タグリーダー・ライター３０とスリッパ３５に内臓された無線タグ３６との関係を説明する説明図である。
【図３】実施の形態１の出歩き管理テーブルの説明図である。
【図４】パソコンに表示される監視図の説明図である。
【図５】実施の形態２の無線タグシステムの概略構成図である。
【図６】実施の形態３の無線タグシステムの概略構成図である。
【図７】実施の形態３の無線タグシステムを説明するシーケンス図である。
【図８】実施の形態３の無線タグシステムのパソコンに表示される監視図の説明図である。
【図９】実施の形態４の無線タグシステムを説明する説明図である。
【図１０】実施の形態４のパソコンに表示される監視図を説明する説明図である。
【図１１】実施の形態５の無線タグシステムの概略構成図である。
【図１２】実施の形態５の出歩き管理テーブルを説明する説明図である。
【図１３】実施の形態５のパソコンに表示される監視図の説明図である。
【図１４】従来の無線タグシステムの概略構成図である。
【符号の説明】
【００８９】
３０  無線タグリーダー・ライター
３２  磁界アンテナ内蔵のマット
３７  サーバ
４１  出歩き情報書込手段
４２  タイマー
４５  データ出力手段
【図１】
2008294863.tif 000005
【図２】
2008294863.tif 000006
【図３】
2008294863.tif 000007
【図４】
2008294863.tif 000008
【図５】
2008294863.tif 000009
【図６】
2008294863.tif 000010
【図７】
2008294863.tif 000011
【図８】
2008294863.tif 000012
【図９】
2008294863.tif 000013
【図１０】
2008294863.tif 000014
【図１１】
2008294863.tif 000015
【図１２】
2008294863.tif 000016
【図１３】
2008294863.tif 000017
【図１４】
2008294863.tif 000018